(57)【要約】  【課題】ボールシートの共回りを防止するとともに、剛性及び耐久性を向上したボールジョイントを提供する。  【解決手段】ソケット３及びボールシート４に対してボールスタッド２を抜け止めするかしめ変形によりかしめ部29を形成する。かしめ部29に対向する対向受部34を内室25に設ける。かしめ部29と対向受部34でボールシート４を軸方向に挟み込み、かつ、かしめ部29のかしめ変形により対向受部34にボールシート４の突起67を圧接して変形させて対向受部34に吸い付かせることにより、内室25でのボールシート４の周方向への挙動を規制し、ボール部15の摺動に伴うボールシート４の共回りを防止できる。  【選択図】図１
2006170253.tif 000002
【特許請求の範囲】
【請求項１】
ボール部を備えたボールスタッドと、
前記ボールスタッドのボール部を回動可能に保持する球面状の摺動面及び開口を備えたベアリングシートと、
前記ボールスタッドのボール部を保持した前記ベアリングシートが収容される内室及び前記開口に連通する開口部を備えたソケットとを具備し、
前記ソケットは、
かしめ変形されて前記ベアリングシートを前記ソケットに固定するかしめ部と、
前記内室に設けられ前記かしめ部のかしめ変形時にこのかしめ部に対向する対向受部とを備え、
前記ベアリングシートは、前記かしめ部のかしめ変形時に前記対向受部に圧接されて変形する突起を備えている
ことを特徴としたボールジョイント。
【請求項２】
ソケットは、略筒状に形成され、
かしめ部は、前記ソケットの開口部の周縁部に設けられ、
対向受部は、前記ソケットの軸方向に対して前記開口部と反対側、かつ、前記かしめ部のかしめ変形時に前記開口部の内縁部と前記ソケットの径方向に重なる位置に、前記ソケットの径方向に沿って略平面状に設けられている
ことを特徴とした請求項１記載のボールジョイント。
【請求項３】
ベアリングシートは、突起が複数設けられ、これら突起が周方向に互いに離間されている
ことを特徴とした請求項２記載のボールイジョイント。
【請求項４】
ベアリングシートは、軸方向に対して開口と反対側の外側部の突起よりも中心軸側に突設され、ソケットのかしめ部のかしめ変形時に内室に圧接されて変形する突起部を備えている
ことを特徴とした請求項２または３記載のボールジョイント。
【請求項５】
ベアリングシートは、突起部が複数設けられ、これら突起部が周方向に互いに離間されている
ことを特徴とした請求項４記載のボールジョイント。
【請求項６】
突起部は、ベアリングシートの周方向にて各突起の間に位置している
ことを特徴とした請求項４または５記載のボールジョイント。
【発明の詳細な説明】
【技術分野】
【０００１】
本発明は、内室に設けられたベアリングシートを備えたボールジョイントに関する。
【背景技術】
【０００２】
従来、例えば、自動車の懸架装置、あるいは操舵装置などに用いられるボールジョイントが知られている。そして、このようなボールジョイントは、一般に、開口部を備えた内室を有する略有底円筒状のソケットと、このソケットの内室に固定され開口部に連通する開口を有するベアリングシートとしてのボールシートと、このボールシート内の摺動面に摺動可能に保持されるボール部及び開口と開口部とに挿通されるスタッド部を有するボールスタッドとを備えている。そして、このようなボールジョイントのボールシートは、ソケットの開口部の周縁部をかしめ変形することで、ソケットの内室に固定されている。
【０００３】
そして、ボールジョイントの耐荷重性を向上させ耐久性の向上を図るために、ボールシートの軸方向の開口と反対側の端部の外周面に、ソケットの内室の底面部に当接する荷重受部を設ける構成が知られている（例えば、特許文献１参照。）。
【特許文献１】実開平７−１２６２１号公報（第７−９頁、図３）
【発明の開示】
【発明が解決しようとする課題】
【０００４】
ボールジョイントでは、ボールスタッドのボール部と摺動面との摺動などによりボールシートに熱が発生すると、この熱の熱履歴によってボールシートが収縮することがある。
【０００５】
この場合に、上述のボールジョイントでは、ソケットの開口部の周縁部のかしめ変形によりボールシートの開口側を中心軸方向に可塑変形させてソケットの内室の開口部側から底面部側へとボールシートを押さえているだけであるため、比較的滑らかな構造の外周面を有するボールシートの周方向への挙動を防止する部分がない。この結果、ボールシートの収縮により締め代が緩和されると、ボールスタッドのボール部の揺動あるいは回動に伴いボールシートが共回りするおそれがあるという問題点を有している。
【０００６】
本発明は、このような点に鑑みなされたもので、ベアリングシートの共回りを防止するとともに、剛性及び耐久性を向上したボールジョイントを提供することを目的とする。
【課題を解決するための手段】
【０００７】
請求項１記載のボールジョイントは、ボール部を備えたボールスタッドと、前記ボールスタッドのボール部を回動可能に保持する球面状の摺動面及び開口を備えたベアリングシートと、前記ボールスタッドのボール部を保持した前記ベアリングシートが収容される内室及び前記開口に連通する開口部を備えたソケットとを具備し、前記ソケットは、かしめ変形されて前記ベアリングシートを前記ソケットに固定するかしめ部と、前記内室に設けられ前記かしめ部のかしめ変形時にこのかしめ部に対向する対向受部とを備え、前記ベアリングシートは、前記かしめ部のかしめ変形時に前記対向受部に圧接されて変形する突起を備えているものである。
【０００８】
そして、ソケットのかしめ部をかしめ変形すると、このかしめ部とこのかしめ部のかしめ変形時にこのかしめ部に対向する対向受部とで、ソケットの内室に設けられたベアリングシートを挟み込み、かつ、かしめ部のかしめ変形により対向受部にベアリングシートの突起が圧接されて変形することで、ソケットの内室でのベアリングシートの挙動が規制され、ボールスタッドのボール部の摺動に伴うベアリングシートの共回りが防止されるとともに、ボールスタッドからの荷重を対向受部が支持することで、剛性及び耐久性が向上する。
【０００９】
請求項２記載のボールジョイントは、請求項１記載のボールジョイントにおいて、ソケットは、略筒状に形成され、かしめ部は、前記ソケットの開口部の周縁部に設けられ、対向受部は、前記ソケットの軸方向に対して前記開口部と反対側、かつ、前記かしめ部のかしめ変形時に前記開口部の内縁部と前記ソケットの径方向に重なる位置に、前記ソケットの径方向に沿って略平面状に設けられているものである。
【００１０】
そして、略筒状に形成したソケットのかしめ部を開口部の周縁部に設け、対向受部をベアリングシートの軸方向に対して開口部と反対側、かつ、かしめ部のかしめ変形時に開口部の内縁部と径方向に重なる位置に、径方向に沿って略平面状に設けることで、かしめ部と対向受部とでベアリングシートが軸方向に確実に挟持されるとともに、突起が対向受部に確実に圧接されて、ベアリングシートの共回りがより確実に防止される。
【００１１】
請求項３記載のボールジョイントは、請求項２記載のボールジョイントにおいて、ベアリングシートは、突起が複数設けられ、これら突起が周方向に互いに離間されているものである。
【００１２】
そして、ベアリングシートの突起を複数設け、これら突起をベアリングシートの周方向に互いに離間することで、ソケットのかしめ部のかしめ変形時の各突起の変形によって、ベアリングシートの共回りがより確実に防止される。
【００１３】
請求項４記載のボールジョイントは、請求項２または３記載のボールジョイントにおいて、ベアリングシートは、軸方向に対して開口と反対側の外側部の突起よりも中心軸側に突設され、ソケットのかしめ部のかしめ変形時に内室に圧接されて変形する突起部を備えているものである。
【００１４】
そして、ベアリングシートの軸方向に対して開口と反対側の外側部の突起よりも中心軸側に突起部を設けることで、ソケットのかしめ部のかしめ変形時の突起部の変形によって、ベアリングシートの共回りがより確実に防止され、ボールスタッドからの荷重をベアリングシートの軸方向に対して開口と反対側の外側部にて支持することで、剛性及び耐久性が向上する。
【００１５】
請求項５記載のボールジョイントは、請求項４記載のボールジョイントにおいて、ベアリングシートは、突起部が複数設けられ、これら突起部が周方向に互いに離間されているものである。
【００１６】
そして、突起部を複数設け、これら突起部をベアリングシートの周方向に互いに離間することで、ソケットのかしめ部のかしめ変形時の各突起部の変形によって、ベアリングシートの共回りがより確実に防止される。
【００１７】
請求項６記載のボールジョイントは、請求項４または５記載のボールジョイントにおいて、突起部は、ベアリングシートの周方向にて各突起の間に位置しているものである。
【００１８】
そして、突起部をベアリングシートの周方向にて各突起の間に配置することで、ソケットのかしめ部のかしめ変形時の突起と突起部との変形によって、ベアリングシートの共回りがより確実に防止される。
【発明の効果】
【００１９】
請求項１記載のボールジョイントによれば、ソケットのかしめ部をかしめ変形すると、このかしめ部とこのかしめ部のかしめ変形時にこのかしめ部に対向する対向受部とで、ソケットの内室に設けられたベアリングシートを挟み込み、かつ、かしめ部のかしめ変形により対向受部にベアリングシートの突起が圧接されて変形することで、ソケットの内室でのベアリングシートの挙動が規制され、ボールスタッドのボール部の摺動に伴うベアリングシートの共回りを防止できるとともに、ボールスタッドからの荷重を対向受部が支持することで、剛性及び耐久性を向上できる。
【００２０】
請求項２記載のボールジョイントによれば、請求項１記載のボールジョイントの効果に加えて、略筒状に形成したソケットのかしめ部を開口部の周縁部に設け、対向受部をベアリングシートの軸方向に対して開口部と反対側、かつ、かしめ部のかしめ変形時に開口部の内縁部と径方向に重なる位置に、径方向に沿って略平面状に設けることで、かしめ部と対向受部とでベアリングシートを軸方向に確実に挟持できるとともに、突起を対向受部に確実に圧接でき、ベアリングシートの共回りをより確実に防止できる。
【００２１】
請求項３記載のボールジョイントによれば、請求項２記載のボールジョイントの効果に加えて、ベアリングシートの突起を複数設け、これら突起をベアリングシートの周方向に互いに離間することで、ソケットのかしめ部のかしめ変形時の各突起の変形によって、ベアリングシートの共回りをより確実に防止できる。
【００２２】
請求項４記載のボールジョイントによれば、請求項２または３記載のボールジョイントの効果に加えて、ベアリングシートの軸方向に対して開口と反対側の外側部の突起よりも中心軸側に突起部を設けることで、ソケットのかしめ部のかしめ変形時の突起部の変形によって、ベアリングシートの共回りをより確実に防止でき、ボールスタッドからの荷重をベアリングシートの軸方向に対して開口と反対側の外側部にて支持することで、剛性及び耐久性を向上できる。
【００２３】
請求項５記載のボールジョイントによれば、請求項４記載のボールジョイントの効果に加えて、ベアリングシートの突起部を複数設け、これら突起部をベアリングシートの周方向に互いに離間することで、ソケットのかしめ部のかしめ変形時の各突起部の変形によって、ベアリングシートの共回りをより確実に防止できる。
【００２４】
請求項６記載のボールジョイントによれば、請求項４または５記載のボールジョイントの効果に加えて、突起部をベアリングシートの周方向にて各突起の間に配置することで、ソケットのかしめ部のかしめ変形時の突起と突起部との変形によって、ベアリングシートの共回りをより確実に防止できる。
【発明を実施するための最良の形態】
【００２５】
以下、本発明の一実施の形態のベアリングシートの構成を図１ないし図５を参照して説明する。
【００２６】
図１において、１はボールジョイントで、このボールジョイント１は、鋼鉄製などのボールスタッド２、金属製などの略有底円筒状のソケット３、ベアリングシートとしての合成樹脂製などのボールシート４、及び、ゴムあるいは軟質合成樹脂などにて略円筒状に形成された図示しないダストカバーなどを備えている。そして、このボールジョイント１は、例えば軸方向を横として自動車の操舵装置のラックエンドなどに用いられるものである。
【００２７】
ボールスタッド２は、ボールシート４に回動可能に保持されたボール部15と、このボール部15から軸状に突設されたスタッド部16とを有している。
【００２８】
ボール部15は、ボールシート４に保持された状態でソケット３内に収容されている。
【００２９】
また、スタッド部16は、ソケット３から突出し、先端部が例えば図示しないタイロッドエンドに接続されている。
【００３０】
さらに、ソケット３は、図２及び図３に示すように、略有底円筒状のソケット本体21と、このソケット本体21の軸方向の一端部からボールスタッド２のスタッド部16と逆方向に突設された接続部22とを有している。
【００３１】
ソケット本体21は、ボールシート４が嵌着される内室25を内部に備え、軸方向の一端部に、接続部22が突設される底部26が形成され、この底部26と反対側である軸方向の他端部に、内室25に連通する開口部27が開口形成されるとともに、外周部に一対の凹部28が互いに対向する位置に設けられている。そして、このソケット本体21は、内室25にボールシート４を嵌着した状態で、図１に示すように開口部27の外周縁部を中心軸方向にかしめ変形してかしめ部29を形成することにより、ボールシート４を内室25に保持するとともに、ソケット３及びボールシート４に対してボールスタッド２を抜け止めする。
【００３２】
内室25は、図３に示すように、開口部27側から底部26側へと、開口部側内周面部31、内周面部32、傾斜面部33、対向受部34、底部側内周面部35及び底面部36が順次連続的に同心状に形成され、底部26側である傾斜面部33、対向受部34、底部側内周面部35及び底面部36が縮径されて底部26の開口部27側の面となっている。
【００３３】
開口部側内周面部31は、ボールシート４の最大外径寸法よりも若干大きい内径寸法を有する円筒内面状に形成されている。
【００３４】
また、内周面部32は、ボールシート４の最大外径寸法と略等しい外径寸法を有する円筒内面状に形成されている。したがって、各内周面部31，32の連続部には、ソケット３の中心軸方向に向けて若干の段部38が形成されている。この段部38は、図１に示すように、ソケット本体21のかしめ変形時に、ボール部15の赤道Ｅの位置に対応して位置した緩衝部となり、トルクを緩和するものである。
【００３５】
なお、各内周面部31，32を一体、すなわち互いに等しい内径寸法に形成して、段部38を内室25に形成しないようにしてもよい。
【００３６】
さらに、傾斜面部33は、図３に示すように、ボールシート４の外周面に沿って内周面部32から底部26側へと中心軸に向けて傾斜して形成された円筒内面状である。
【００３７】
そして、対向受部34は、傾斜面部33の底部26側の端部から、ソケット３の軸方向に対して交差、本実施の形態では略直交する方向であるソケット３の径方向に沿って円環平面状に形成され、底部側内周面部35側がソケット３の中心軸側に向けて突出している。また、この対向受部34は、図１に示すように、ソケット３の軸方向に対して開口部27と反対側、かつ、かしめ部29形成時の開口部27の内周縁部とソケット３の径方向に重なる位置に形成され、ソケット本体21のかしめ変形時にかしめ部29に対向してこのかしめ部29とともにボールシート４を軸方向に挟持するものである。すなわち、対向受部34は、ボールジョイント１の中心軸となるボールスタッド２の中心軸に対してボールシート４の径方向にずれた位置に設けられている。
【００３８】
なお、対向受部34は、傾斜面部33側に対して底面側内周面部35側がソケット３の中心軸に向けて若干傾斜した傾斜面としてもよい。
【００３９】
さらに、底部側内周面部35は、ボールシート４の外周面に沿って対向受部34から底部26側へと中心軸に向けて傾斜して形成された円筒内面状である。
【００４０】
そして、底面部36は、内室25の底面となる部分であり、傾斜面状に形成されている。
【００４１】
一方、接続部22は、ソケット本体21の底部26にこのソケット本体21と同軸状に設けられ、例えば図示しないタイロッドエンドにねじこまれる雄ねじ部41が外周面に設けられている。
【００４２】
そして、ボールシート４は、例えば可撓性を有するポリアセタールなどの合成樹脂により、図４及び図５に示すように、軸方向の一端側が縮径した略円筒状に形成され、ボール部15を回動可能に保持する球面状の摺動面44が内部に設けられ、軸方向の一端側に摺動面44に連通する底部開口45が開口形成され、かつ、軸方向の他端側に摺動面44に連通する開口46が開口形成されている。また、このボールシート４の外周部は、図１、図４及び図５に示すように、開口46側から底部開口45側へと、ソケット３のかしめ変形時にこのソケット３の各内周面部31，32により保持される開口側外周面部51、ソケット３の傾斜面部33により保持される傾斜外周面部52、ソケット３の対向受部34により保持される肩部53、底部側内周面部35により保持される外周面部54、及び、底面部36により保持される底部開口側外周面部55が順次連続的に同心状に形成されている。
【００４３】
摺動面44は、開口46側から底部開口45側へと、開口側摺動面57及び底部開口側摺動面58が順次連続的に同心状に形成されている。
【００４４】
開口側摺動面57は、ボールスタッド２のボール部15の外径寸法と略等しい内径寸法を有する円筒内面状に形成され、ソケット３のかしめ変形により変形して潰れ、ボール部15の赤道Ｅよりもスタッド部16側寄りの外周面を保持する部分である。
【００４５】
なお、ボール部15の赤道Ｅとは、ボールスタッド２の中心軸に直交する平面上でのボール部15の半径が最大となる位置をいう。
【００４６】
また、底部開口側摺動面58は、ボールスタッド２のボール部15の外周形状に沿った球面凹状に形成されている。さらに、この底部開口側摺動面58には、本実施の形態では、ボールシート４の軸方向の略中心域に、例えばグリースなどの潤滑剤をボール部15の外周面との間に保持する油溜まり部61が形成されている。このため、底部開口側摺動面58は、この油溜まり部61により、第１摺動面62と第２摺動面63とに分割されている。なお、この油溜まり部61は、必ずしも必要なものではない。
【００４７】
そして、底部開口側摺動面58は、最大内径寸法が開口側摺動面57の内径寸法よりも小さく形成されている。このため、各摺動面57，58の連続部には、ボール部15の外周面との間に潤滑剤を保持する段差部65が形成されている。
【００４８】
一方、開口側外周面部51は、内周面部32の内径寸法と略等しい外径寸法を有する円周面状に形成され、ボールシート４の赤道Ｅよりも底部開口45側に延設されている。
【００４９】
また、傾斜外周面部52は、開口側外周面部51側から肩部53側へと、ボールシート４の中心軸に向けて傾斜された円周面状に形成されている。
【００５０】
さらに、肩部53は、傾斜外周面部52の底部開口45側の端部から、ボールシート４の軸方向に対して交差、本実施の形態では略直交する方向であるボールシート４の径方向に沿って円環平面状に形成され、外周面部54側がボールシート４の中心軸側に位置している。またさらに、この肩部53は、図４の想像線に示すように、かしめ部29形成時の開口部27の内周縁部と重なる位置に形成されている。すなわち、この肩部53は、ボールジョイント１の中心軸に対してボールシート４の径方向にずれた位置に設けられている。
【００５１】
そして、この肩部53には、突起67が例えば複数、本実施の形態では８つ、ボールシート４の軸方向に向けてそれぞれ突設されている。したがって、これら突起67は、ボールジョイント１の中心軸に対して径方向にずれた位置に設けられている。そして、これら突起67は、ソケット３のかしめ部29のかしめ変形時に対向受部34に圧接されて変形して潰れることで、ボールシート４をソケット３に対して回り止めするもので、例えば径方向に沿って長い矩形状に形成され、先端側に向けて幅寸法が狭くなっている。また、これら突起67は、ボールシート４の周方向に略等角度に離間されている。
【００５２】
なお、肩部53は、傾斜外周面部52側に対して外周面部54側がボールシート４の中心軸に向けて若干傾斜した傾斜面としてもよい。
【００５３】
また、外周面部54は、図４及び図５に示すように、肩部53側から底部開口側外周面部55側へと、ボールシート４の中心軸に向けて傾斜された円周面状に形成されている。
【００５４】
さらに、この外周面部54には、突起部69が例えば複数、本実施の形態では８つ、ボールシート４の軸方向に向けてそれぞれ突設されている。すなわち、これら突起部69は、ボールジョイント１の中心軸に対してボールシート４の径方向にずれた位置に設けられている。また、これら突起部69は、ソケット３のかしめ部29のかしめ変形時に底部側内周面部35に圧接されて変形して潰れることで、ボールシート４の外周面と内室25の内周面との寸法公差を吸収するとともに、突起67とでボールシート４をソケット３に対して回り止めするもので、例えば径方向に沿って長い矩形状に形成され、先端側に向けて幅寸法が狭くなっている。そして、これら突起部69は、ボールシート４の周方向に略等角度に離間され、それぞれ各突起67の間、本実施の形態では略中間部に位置している。なお、これら突起部69は、必ずしも必要なものではない。
【００５５】
また、底部開口側外周面部55は、ボールシート４の外側の底面となる部分であり、ボールシート４の径方向に沿って円環平面状に形成され、ソケット３の底面部36の外周縁部に位置している。
【００５６】
さらに、底部開口45は、ソケット３の底面部36に対向し、この底面部36とボールスタッド２のボール部15の外周面との間に潤滑剤を保持するものである。
【００５７】
そして、開口46は、開口部27に連通し、ボールスタッド２のスタッド部16が挿通される部分である。
【００５８】
次に、上記一実施の形態の組み立て手順を説明する。
【００５９】
まず、ソケット３の内室25に、ボールシート４を収容し、このボールシート４の摺動面44にボールスタッド２のボール部15を保持するように、これらソケット３、ボールシート４及びボールスタッド２をかしめ加工機の所定の金型に納める。
【００６０】
そして、ソケット３に外力を加え、ソケット３の開口部27の外周縁部を塑性変形させると、かしめ部29によりボールシート４の開口側外周面部51がボールスタッド２のボール部15の外周面に沿って変形して、ボールスタッド２がソケット３及びボールシート４から抜け止めされる。
【００６１】
同時に、かしめ部29と対向受部34とでボールシート４を軸方向に挟み込むとともに、ボールジョイント１の中心軸に対してボールシート４の径方向にずれた位置に設けられた突起67及び突起部69が、それぞれ対向受部34及び底部側内周面部35に圧接されて変形して潰れて吸い付き、これら突起67及び突起部69が設けられた位置によって生じるボールシート４の周方向への保持力によってボールシート４が周方向に回り止めされ、かつ、ボールシート４の外周面と内室25との寸法公差が吸収されてボールシート４がソケット３の内室25に隙間なく保持される。
【００６２】
この結果、内室25でのボールシート４の周方向への挙動が規制され、例えばボールスタッド２のボール部15とボールシート４の摺動面44との摺動などによりボールシート４に発生した熱の熱履歴によってボールシート４が収縮してボールシート４のばね定数が低下し、ソケット３のかしめ変形による締め代が緩和された場合などでも、ボール部15の摺動、すなわち回動及び揺動に伴うボールシート４の共回りを防止できる。
【００６３】
また、ボールスタッド２からの軸方向への荷重を、底部側内周面部35が外周面部54を介して支持するとともに対向受部34が肩部53を介して支持することで、ボールジョイント１の剛性及び耐久性を向上できる。
【００６４】
さらに、かしめ部29を開口部27の外周縁部に設け、対向受部34をボールシート４の軸方向に対して開口部27と反対側、かつ、かしめ部29のかしめ変形時に開口部27の内縁部と径方向に重なる位置に、ボールシート４の径方向に沿って略平面状に設けることで、かしめ部29と対向受部34とでボールシート４を軸方向に確実に挟持できるとともに、突起67を対向受部34に確実に圧接でき、ボールシート４の共回りを、より確実に防止できる。
【００６５】
そして、複数の突起67をボールシート４の周方向に互いに離間することで、かしめ部29のかしめ変形時の各突起67の変形によって、周方向の複数の箇所でボールシート４が回り止めされるので、ボールシート４の共回りをより確実に防止できる。
【００６６】
また、ボールシート４の外周面部54に突起部69を設けることで、かしめ部29のかしめ変形時の突起部69の変形によって、ボールシート４の共回りを、より確実に防止できるとともに、ボールシート４の外周面と内室25との寸法公差を突起部69の変形により吸収でき、ボールシート４を内室25に、より確実に保持でき、また、ボールスタッド２からの荷重を外周面部54にて支持することで、剛性及び耐久性をより向上できる。
【００６７】
さらに、複数の突起部69をボールシート４の周方向に互いに離間することで、かしめ部29のかしめ変形時の各突起部69の変形によって、周方向の複数の箇所でボールシート４が回り止めされるので、ボールシート４の共回りをより確実に防止できる。
【００６８】
そして、ボールシート４の周方向での各突起67の間に各突起部69をそれぞれ配置することで、突起67と突起部69とがボールシート４の周方向全体にバランスよく配置されるので、かしめ部29のかしめ変形時の各突起67と各突起部69との変形によって、ボールシート４の共回りをより確実に防止できる。
【００６９】
なお、上記一実施の形態において、突起67を設ける個数は、任意に設定できる。
【００７０】
また、かしめ部29と対向受部34とは、互いに対向する位置であれば、ソケット３の任意の位置とすることができる。この場合には、ボールシート４の肩部53の位置を、対向受部34に応じて設定することで対応できる。
【図面の簡単な説明】
【００７１】
【図１】本発明の一実施の形態のボールジョイントを示す縦断面図である。
【図２】同上ボールジョイントのソケットの平面図である。
【図３】同上ソケットのＡ−Ａ断面図である。
【図４】同上ボールジョイントのベアリングシートを示す平面図である。
【図５】同上ベアリングシートを示すＢ−Ｂ断面図である。
【符号の説明】
【００７２】
１    ボールジョイント
２    ボールスタッド
３    ソケット
４    ベアリングシートとしてのボールシート
15    ボール部
25    内室
27    開口部
29    かしめ部
34    対向受部
44    摺動面
46    開口
67    突起
69    突起部
【図１】
2006170253.tif 000003
【図２】
2006170253.tif 000004
【図３】
2006170253.tif 000005
【図４】
2006170253.tif 000006
【図５】
2006170253.tif 000007